【事件の表示】
　特許第２８０５０７４号「映像信号処理方法」の特許に対する特許異議の申立てについて、次のとおり決定する。
【結論】
　訂正を認める。
　特許第２８０５０７４号の特許を維持する。
【理由】
１．手続の経緯
　特許第２８０５０７４号の請求項１に係る発明は、平成１年２月２８日に出願され、平成１０年７月２４日に設定登録され、その後、その特許について異議申立人　有限会社オフィスアテナ、セイコーエプソン株式会社より特許異議の申立がなされ、取消理由通知がなされ、その指定期間内である平成１１年９月２７日に訂正請求がなされたものである。
２．訂正の適否についての判断
ア．訂正の概要及び、その適否の判断
　特許権者が求めている訂正の内容は以下のとおりである。
ａ．請求項１の「横長画面の表示手段に映出させる」の記載を「横長画面の表示手段の有効画面いっぱいに表示すべく水平方向に伸張して映出させる」と訂正する。
ｂ．特許明細書［発明の概要］及び［課題を解決する手段］の「横長画面の表示手段に映出させる」の記載を「横長画面の表示手段の有効画面いっぱいに表示すべく水平方向に伸張して映出させる」と訂正する。
ｃ．特許明細書３頁１４行−１８行の「プロジックタ或は、横長画面用のＣＲＴの垂直方向偏向幅を有効画面幅より狭くする様な表示画面とすると、画面の走査線数が５２５本×３／４＝３９４本となってスクリーンの表示画面に映出された」の記載を「プロジェクタ或は、横長画面用のＣＲＴに垂直方向偏向幅が有効画面幅より狭くされた画像を表示すると、画面の走査線数が５２５本×３／４＝３９４本となってスクリーンあるいはＣＲＴの表示画面に映出された」と訂正する。
ｄ．特許明細書７頁１２行−１３行の「垂直偏向回路（８）を介して垂直偏向コイル（１９）に供給される」の記載を「垂直偏向回路（８）を介して垂直偏向コイル（７）に供給される」と訂正する。
　上記ａに関する明細書の記載として「スクリーン（２１）のアスペクト比が第２図Ｃに示す様に１６：９のものであれば有効画面いつぱいに画像が投写される。」の記載がある。
　したがって、上記ａに関する訂正は明細書に記載された範囲内で表示の態様を減縮したものであるから特許請求の範囲の減縮に該当するものであって、新規事項の追加に該当せず、また、実質上特許請求の範囲を拡張し、または変更するものではない。
　上記ｂの訂正は明細書の特許請求の範囲に対応した記載を、特許請求の範囲の訂正に合わせて訂正するものであるから、不明瞭な記載の釈明である。
　上記ｃの訂正は日本語として明瞭でない記載を訂正するものであるから、明瞭でない記載の釈明に該当する。
　上記ｄの訂正は誤記の訂正である。
イ．独立特許要件の判断
　訂正明細書の請求項１に係る発明（以下、本件発明という）は、その特許請求の範囲の請求項１に記載された下記のとおりのものである。
　　　　記
　アスペクト比が４：３の標準画面上の上下の所定走査線数を除いた走査線によって伝送される映像信号を、アスペクト比が該標準画面より横方向に長い横長画面に映出させる映像信号処理方法において、メモリを用いて、上記上下の所定走査線が除かれた映像信号に対して、所定の割合で走査線を挿入することにより映像を垂直方向に伸張させ、上記垂直方向に伸張された映像を上記横長画面の表示手段の有効画面いっぱいに表示すべく水平方向に伸張して映出させる様にした映像信号処理方法。
　本件発明に対して、当審が取消理由通知で引用した刊行物１乃至３には下記のとおりの記載がある。
刊行物１：実公昭５８−５３７９１号公報
　「標準方式のテレビジョン映像信号は、その画面サイズが縦横比３：４と定められているので、投写型ディスプレイ装置でも、このままでは、スクリーン４に投影される画像は、縦横比３：４のものしか得られない。
　この考案は、上記の点にかんがみ、投写型ディスプレイ装置において、表示画像を標準方式のテレビジョン画像よりも横長とすることができるようにした」（公報２欄１４−２２行）
　「カメラ９で撮影した像を横長のワイド画像とする場合について説明する。
　・・したがって、カメラ９では垂直偏向幅が幅狭となるようにされる。したがって、ターゲット面Ｔ上に結像された第４図Ａに示すような像は同図Ｂに示すように垂直幅が狭い状態で走査される。
　こうしてこのカメラ９より得られた映像信号が陰極線管１に供給されるが、このとき、その水平及び垂直の偏向幅が前述の標準方式の信号と同じものであれば、陰極線管１での映出画像は垂直方向にのみ拡大されたような画像となる。しかしながら、このとき、前述のようにスイッチ回路６が図の状態とは逆の状態に切り換えられているから、水平偏向幅が標準方式の信号の場合よりも広くされるので、陰極線管９の画面には、第４図Ｃに示すような、垂直幅のみが幅狭とされた横長の画像が映出される。
　そして、この陰極線管１の画像がスクリーン４’に投影されるので、スクリーン４’いっぱいに、横長でワイドな画像が表示される。」（公報４欄２１−４４行）
刊行物２：特開昭６１−２４８６８９号公報
　「本発明はビデオ信号に基づいて印刷用製版を行なうためのビデオ信号変倍処理方法および装置に関する。
［技術的背景］
　近年印刷製版のための映像情報をビデオテープから取ることが行なわれている。この場合、ビデオテープに記録された画像情報はテレビジョン方式で記録されており、走査線方式で構成されている。この走査線は我国で用いられているＮＴＳＣ方式の場合、画面の大小に拘らず５２５本の走査線で１画面つまり１フレームを構成している。したがって画面が大きくなるほど画像品質が悪くなり、写真フィルムに記録された画像情報に比べ著しく解像力が劣ったものとなる。
［発明の目的］
　本発明は上述の点を考慮してなされたもので、画面の大きさに応じて走査線数を増減することにより変倍を行なうビデオ変倍方法および装置を提供することを目的とする。
［発明の概要］
　この目的達成のため、本発明では、所定数の走査線を１単位として変倍率に応じた数の走査線の追加または削除を行ない、且つこの追加または削除は前記所定数の走査線全体につき平均化されると共に変倍率要求を満たすように行なうものである。」（公報１頁右下欄１２行−２頁左上欄１８行）
刊行物３：特開昭６０−１８０３８２号公報
　「そこで本発明は、現行テレビ方式のほぼＮ倍の走査線数を有する高解像度テレビ方式を受像するテレビ受像画面に、現行テレビ方式の画像を、縮小又は拡大して同時に映出することが可能なカラーテレビジョン受像器を提供することを目的とする。」（公報１頁右下欄１１行−２頁左上欄１行）
（対比・判断）
　本件発明と上記刊行物１乃至３に記載の発明とを対比すると、上記いずれの刊行物にも、本件発明を特定する事項である「アスペクト比が４：３の標準画面上の上下の所定走査線数を除いた走査線によって伝送される映像信号」の記載がない。すなわち、上記刊行物１のものは、その記載からみて、ターゲット面Ｔ上の像を垂直偏向幅が狭い状態で走査されることは記載されているが、このとき、水平走査線の数が、標準画面との比較において少ないことは記載されていない。また、上記刊行物２及び３は、映像信号の走査線の数を、解像度を調整するために増減させる構成を記載するのみで、当該走査線の増減が標準画面上の上下の所定走査線であることは記載されていない。このことは、アスペクト比を調整するという目的を達成するための具体的手段が本質的に異なるものであり、本件発明が、上記刊行物１乃至３の記載から当業者が容易に発明をすることができたものとはいえない。
　なお、本件訂正明細書には「表示画面内で上下の走査線をカット」する点が刊行物１に示されている旨の記述があるが、刊行物１を精査してもその旨の記載又は示唆があるものと認定できないから、上記判断に変わりはない。
　したがって、本件発明は特許出願の際独立して特許を受けることができるものである。
ウ．むすび
　以上のとおりであるから、上記訂正は、特許法第１２０条の４第２項および同条第３項で準用する第１２６条第２−４項の規定に適合するので、当該訂正を認める。
３．特許異議の申し立てについて
ア．申立の概要
　特許異議申立人　有限会社オフィスアテナは、特許異議申立時に証拠として甲第１（当審が上記取消理由通知書で引用した刊行物１とその内容は同じである）及び甲第２号証を提出し、また、異議申立人　セイコーエプソン株式会社は、証拠として甲第１乃至３号証（当審が上記取消理由通知書で引用した刊行物１乃至３とその内容は同じである）を提出し、請求項１に係る発明は甲号各証の記載に基づき当業者が容易に発明できたものであるから、特許法第２９条第２項の規定に該当し、上記請求項１に係る発明の特許は、特許法第１１３条第１項第２号の規定により取り消されるべきである旨主張し、さらに、異議申立人　セイコーエプソン株式会社は、本件特許明細書には不明瞭な記載があり、本件発明の特許は、特許法第３６条第３項の規定に適合していない出願に対してなされたものであるから、特許法第１１３条第１項第４号の規定により取り消されるべきものである旨主張している。
イ．判断
ａ．特許法第２９条について
　特許異議申立人が提出した甲号各証には、本件発明を特定する事項である「アスペクト比が４：３の標準画面上の上下の所定走査線数を除いた走査線によって伝送される映像信号」の記載がない。すなわち、上記各異議申し立て人の提出した甲第１号証には、その記載からみて、ターゲット面Ｔ上の像を垂直偏向幅が狭い状態で走査されることは記載されているが、このとき、水平走査線の数が、標準画面との比較において少ないことは記載されていない。また、上記有限会社オフィスアテナの提出した甲第２号証、セイコーエプソン株式会社が提出した甲第２及び３号証は、映像信号の走査線の数を画像全体にわたって平均的に増減させる構成を記載するのみで、当該走査線の増減が標準画面上の上下の所定走査線であることは記載されていない。このことは、アスペクト比を調整するという目的を達成するための具体的手段が本質的に異なるものであり、本件発明が、上記甲号各証の記載から当業者が容易に発明をすることができたものとはいえない。
ｂ．特許法第３６条について
　異議申立人の主張する明細書の記載不備はおおむね以下の点にあると認める。
▲１▼特許明細書の「従来構成に示した様なプロジックタ或は、横長画面用のＣＲＴの垂直方向偏向幅を有効画面幅より狭くする様な表示画面とすると、画面の走査線数が５２５本×３／４＝３９４本となってスクリーンの表示画面に映出された画像を視た目があらく感じる問題があった」の理由が不明である。
▲２▼特許明細書の「表示画面の上下走査線数を制限しないでアスペクト比４：３の画像を表示画面のアスペクト比１６：９のスクリーンに投写するとスクリーンの外部に光がもれてしまう問題があった」の理由が不明であり、同明細書の「画面の上下に余分な光が写らない映像処理方法が得られる」の比較の対象が不明である。
不明瞭な点▲１▼について
　本件明細書には、通常の画像表示装置は走査線の数が５２５本であって、横方向の幅はそのままに、縦方向の上下の走査線を単純に少なくすると、走査線数は３９４本になることが記載されているから、この５２５本に対して３９４本の走査線の数では画像が粗くなることは自明のことである。
不明瞭な点▲２▼について
　本件明細書には、４：３の画像を上下の走査線の数をそのままに、横長のスクリーンに投写するとスクリーンの外部に光が漏れることが記載されている。これは、より正方形に近い４：３の画像を横方向の幅をあわせて横長スクリーンに投写すれば、正方形に近い画像の上下の一部が横方向に長いスクリーンからはみ出すことを示しているのであり、このことは当業者には従来から周知のことであった。したがって、従来の「光がもれる」という課題は本件明細書の記載から明らかであり、本件発明の作用である「余分な光が写らない」ことも当該従来例と比較していることが理解できる。
ウ．むすび
　以上のとおりであるから、特許異議申立の理由および、証拠によっては、本件発明の特許を取り消すことはできない。
　また、他に本件発明の特許を取り消すべき理由を発見しない。
　よって結論のとおり決定する。
【異議決定日】
平成１１年１２月１７日（１９９９．１２．１７）
【訂正の要旨】
訂正の要旨
ａ．請求項１の「横長画面の表示手段に映出させる」　の記載を、特許請求の範囲の減縮を目的として「横長画面の表示手段の有効画面いっぱいに表示すべく水平方向に伸張して映出させる」と訂正する。
ｂ．特許明細書［発明の概要］及び［課題を解決する手段］の「横長画面の表示手段に映出させる」の記載を、明瞭でない記載の釈明を目的として「横長画面の表示手段の有効画面いっぱいに表示すべく水平方向に伸張して映出させる」と訂正する。
ｃ．特許明細書３頁１４行−１８行の「プロジックタ或は、横長画面用のＣＲＴの垂直方向偏向幅を有効画面幅より狭くする様な表示画面とすると、画面の走査線数が５２５本×３／４＝３９４本となってスクリーンの表示画面に映出された」の記載を、明瞭でない記載の釈明を目的として「プロジェクタ或は、横長画面用のＣＲＴに垂直方向偏向幅が有効画面幅より狭くされた画像を表示すると、画面の走査線数が５２５本×３／４＝３９４本となってスクリーンあるいはＣＲＴの表示画面に映出された」と訂正する。
ｄ．特許明細書７頁１２行−１３行の「垂直偏向回路（８）を介して垂直偏向コイル（１９）に供給される」の記載を、誤記の訂正を目的として「垂直偏向回路（８）を介して垂直偏向コイル（７）に供給される」と訂正する。
（５４）【発明の名称】
映像信号処理方法
（５７）【特許請求の範囲】
　【請求項１】　アスペクト比が４：３の標準画面上の上下の所定走査線数を除いた走査線によって伝送される映像信号を、アスペクト比が該標準画面より横方向に長い横長画面に映出させる映像信号処理方法において、
　メモリを用いて、上記上下の所定走査線が除かれた映像信号に対して、所定の割合で走査線を挿入することにより映像を垂直方向に伸張させ、上記垂直方向に伸張された映像を上記横長画面
の表示手段の有効画面いっぱいに表示すべく水平方向に伸張して
【発明の詳細な説明】
〔産業上の利用分野〕
　本発明は表示画面のアスペクト比が４：３の映像信号を横長画面に表示させるのに適した映像処理方法に関する。
〔発明の概要〕
　本発明の映像信号処理方法はアスペクト比が４：３の標準画面上の上下の所定走査線数を除いた走査線によって伝送される映像信号を、アスペクト比が標準画面より横方向に長い横長画面に映出させる映像信号処理方法において、メモリを用いて上下の走査線が除かれた映像信号に対して、所定の割合で走査線を挿入することにより映像を垂直方向に伸張させ、垂直方向に伸張された映像を横長画面の表示手段
の有効画面いっぱいに表示すべく水平方向に伸張して
〔従来の技術〕
　近時、画像を拡大投写させるためのプロジェクタ、或はハイビジョン用のディスプレイ装置として横長のスクリーンや横長のフェース面を有する陰極線管（以下ＣＲＴと記す）が用いられる様になってきている。この横長のスクリーン又はＣＲＴの表示画面のアスペクト比は１６：９であり、従来一般に広く利用されているＮＴＳＣ方式の走査線数５２５本の映像信号を映出させるための標準表示画面、即ち、アスペクト比が４：３の表示手段に比べて横方向がかなり長くなっている。この為に横長表示画面上に標準表示画面を映出させ様とすると、アスペクト比が４：３のものしか映出させることが出来なくなる。この為に第７図に示す様に表示画面（１）内で上下の走査線（２）（３）をカットし、例えば、走査線数５２５本のうち真中の３９４本だけで画像を映出させる様にし、この画像を横長画面のスクリーンに投射させる様にした構成が実公昭５８−５３７９１号公報に示されている。
〔発明が解決しようとする課題〕
　叙上の従来構成に示した様なプロジ
ェ
に
が
された
像を表示
あるいはＣＲＴ
　本発明は叙上の問題点に鑑みなされたものでその目的とするところは、横長画面に映出された標準方式のアスペクト比を有する画像の走査線が粗に視えず、画面の上下に余分な光が写らない様にした映像処理方法を提供するものである。
〔課題を解決するための手段〕
　本発明はその１例が第１図に示されている様にアスペクト比が４：３の標準画面上の上下の所定走査線数を除いた走査線によって伝送される映像信号を、アスペクト比が標準画面より横方向に長い横長画面に映出させる映像信号処理方法において、メモリ（１４ａ）（１４ｂ）を用いて、上下の所定走査線が除かれた映像信号に対して、所定の割合で走査線を挿入することにより映像を垂直方向に伸張させ、垂直方向に伸張された映像を横長画面の表示手段
の有効画面いっぱいに表示すべく水平方向に伸張して
〔作用〕
　本発明の映像処理方法では表示画面のアスペクト比４：３の表示手段の有効画面幅を狭くしたものをメモリに供給して例えば、走査線数３本に１本の割合で同一走査線を追加して有効画面いっぱいに伸張させこの走査線数の増加した画像を横長画面に表示させる様にしたので、横長画面上での画素数が密になり、画面の上下に余分な光が写らない映像処理方法が得られる。
〔実施例〕
　以下、本発明の一実施例を第１図乃至第３図について説明する。
　第１図は本発明の映像処理方法の一実施例を示す系統図であり、被写体（４）は撮像レンズ（５）を介して撮像カメラ（６）に撮像される。撮像カメラ（６）には垂直偏向コイル（７）が巻回され、この偏向コイル（７）には制御端子（１０）（１１）から供給される高低電圧ＶＨ，ＶＬがスイッチング手段（９）と垂直偏向回路（８）を介して供給される。撮像カメラ（６）は例えば、三板式のＣＣＤカメラであり、撮像出力信号としてはＲ（赤）Ｇ（緑）Ｂ（青）の三原色信号が得られるが、第１図では一系統の信号系Ｇのみが示されている。この様な撮像信号成分はプリアンプ（１２）及びプロセスアンプ（１３）を介して増幅処理が成され、ＮＴＳＣ方式の走査線５２５本の映像信号が導出される。この映像信号は第１及び第２のフィールドメモリ（１４ａ）（１４ｂ）に制御端子（１５）からの制御信号ＣＳにより交互に供給され、走査線数変換が行なわれてＶＴＲ（１６）に記録される。ＶＴＲ（１６）に記録された映像信号は再生されてビデオアンプ（１７）を介してプロジェクタを構成する投写管（１８）に供給される。投写管（１８）に映出された画像は投写用のレンズ（２０）を介して表示画面のアスペクト比が１６：９のスクリーン（２１）に投射される。又、投射管（１８）には垂直偏向コイル（１９）が巻回され、制御端子（２４）（２５）に入力される高低電圧ＶＨ及びＶＬはスイッチング手段（２３）と垂直偏向回路（２２）を介して垂直偏向コイル（１９）に供給される。
　上述の構成に於ける動作を第２図及び第３図を参照して詳記する。
　先ず被写体（４）を撮像レンズ（５）を介して撮像カメラ（６）で撮像する際に、撮像カメラ（６）の垂直偏向コイル（７）に制御端子（１０）から高電圧ＶＨがスイッチング手段（９）の接片ａと固定接点ｃ→垂直偏向回路（８）を介して供給されると、撮像カメラ（６）のターゲット即ち表示画面（１）は第２図Ａの様に走査線数５２５本の水平及び垂直の偏向幅が通常の場合と同様の走査が行なわれ、表示画面のアスペクト比が４：３の標準画面が映出される。次にスイッチング手段（９）の可動接片ａを固定接点ｂ側に倒せば制御端子（１１）から低電圧ＶＬが垂直偏向回路（８）を介して垂直偏向コイル
（７）
　この様な上下走査線（２）（３）を制御した映像信号がプリアンプ（１２）とプロセスアンプ（１３）を介して増幅処理され、奇遇フィールドメモリ（１４ａ）（１４ｂ）に交互に格納される。奇遇フィールドメモリ（１４ａ）（１４ｂ）への交互の書き込み、読み出しは制御端子（１５）に供給された制御信号ＣＳによって行なわれる。
　このフィールドメモリはインタレースされている場合はフィールド単位でメモリ（１４ａ）（１４ｂ）に第３図Ａに示す様に書き込まれた第１〜第３の走査線イ，ロ，ハに対し、第３の走査線ハを２回読み出す、同様に第４〜第６の走査線ニ，ホ，へに対し、第６の走査線へを２回読み出す。以下同様の走査を繰り返すことで３本の走査線に対し１本の走査線が付加されて、３９４本の表示画面（１）の走査線数はデジタル的に３９４本×４／３倍されて５２５本となる（第２図Ｂ）。
　上述の場合は第３，第６，第９‥‥走査線を２回重複して読み出した例を示したが、第３図Ｂに示す様に第３及び第４の走査線ハ，ニ、第６及び第７の走査線へ，ト‥‥の平均補間
をとる様にして、第４，第８‥‥の走査線とする様にしてもよい。
　この様に表示画面のアスペクト比４：３で走査線数５２５本に伸張された映像信号をＶＴＲ（１６）に記録し、このＶＴＲ（１６）に記録された映像信号をビデオアンプ（１７）を通して映像増幅し、投写管（１８）に供給する。投写管（１８）の垂直偏向コイル（１９）には制御端子（２４）から高電圧ＶＨがスイッチング手段（２３）の可動接片ａ→固定接点ｃ→垂直偏向回路（２２）に供給されると、スクリーン（２１）のアスペクト比が第２図Ｃに示す様に１６：９のものであれば有効画面いっぱいに画像が投写される。スイッチング手段（２３）の可動接片ａを固定接点ｂ側に倒すと、垂直偏向回路（２２）を介して低電圧ＶＬが垂直偏向コイル（１９）に供給され、偏向角は３／４に成されスクリーン（２１）に投射されるためにスクリーン（２１）上に走査線数５２５本の横長画面が投写されることになる。
　尚、叙上の例では走査線数５２５本の内３９４本を伸張して５２５本としたＮＴＳＣ方式を説明したが走査線数６２５本の内４６９本を伸張して６２５本とするＰＡＬ方式にも適用出来ることは明らかである。
　第４図は本発明の他の実施例を示す画面変換状態を示す説明図である。
　第４図Ａではアスペクト比４：３のＮＴＳＣ方式で走査線数が５２５本の上下走査線（２）（３）のカットされた映像信号を第４図Ｂに示す様に２倍の走査線数１０５０本とし、プロジェクタ側では投写管（１８）の垂直偏向角を３／４倍にし、第４図Ｃに示す様にアスペクト比１６：９のスクリーン（２１）に走査線数７８８本の画像が得られる様にしたものである。
　第５図の場合は第５図Ａに示す様に走査線数５２５本のうち、有効走査線３９４本を２倍とする様に第６図示のフレームメモリ（１６ｃ）内ですべての有効走査線数をイ，イ，ロ，ロ，ハ，ハ‥‥の様に２回読み出し、７８８本の走査線としアスペクト比１６：９のスクリーン（２１）を倍速走査すると共に垂直偏向角を３／４倍にして投写させることで走査線７８８本の横長画面が投射可能となる。
　又、上述の各実施例では１６：９のアスペクト比を有するプロジェクタスクリーンに画像を撮像する場合について説明したがアスペクト比１６：９の横長画面を有するＣＲＴ上に画像を映出させる様にしてもよく、走査方法もノーインタレース方式であってもよく、走査線を倍速化することでみやすい画像が得られる。
　尚本発明は叙上の実施例に限定されることはなく、本発明の要旨を逸脱しない範囲で種々に変形することが出来る。
〔発明の効果〕
　本発明によれば画像の上下に余分な光が投写されたり、映出されることのない横長画面表示用の映像処理方法が得られ、走査線数も増加して密となり画面を明るくすることが出来る。
【図面の簡単な説明】
　第１図は本発明の映像処理方法の一実施例を示す系統図、第２図は本発明の映像処理方法の画面変換状態説明図、第３図及び第６図は本発明の映像処理方法走査線説明図、第４図は本発明の他の例を示す画面変換状態説明図、第５図は更に他の例を示す画面変換状態説明図、第７図は従来の表示画面説明図である。
　（４）は被写体、（６）は撮像カメラ、（７）（１９）は垂直偏向コイル、（１４ａ）（１４ｂ）はフィールドメモリである。
【図面】